(57)【特許請求の範囲】
【請求項１】
袋状容器のシール辺の間に固定されるシール部から容器外方となる側に向けて注出口が突出し、前記シール部から容器内方となる側に向けて対の脚が延設されている袋状容器用注出口栓において、  前記シール部は、前記シール辺の長さ方向に沿った方向に凸となる尖頭部を有して平面視形状が舟形とされ、  前記脚は、それぞれが脚の長さ方向に沿っている三つの側面を有してなる三角柱形状に設けられ、  前記脚それぞれが有する三つの側面の内、一つの側面を平面にしてこの平面とされた一つの側面同士を脚の対向方向に面するように平行とし、脚それぞれの残り二面を脚の断面の中心側に向けて凹んだ曲面としていて、  脚それぞれにおける前記曲面とされた二つの側面の間に位置して脚の長さ方向に沿う一つの稜線部分が、前記尖頭部の凸方向と同一方向側に位置していて、前記稜線部分の断面形状が尖頭状とされていることを特徴とする袋状容器用注出口栓。
【発明の詳細な説明】
【技術分野】
【０００１】
本発明は、ゼリー飲料や氷菓などを充填したパウチタイプの袋状容器に取り付けられて、その袋状容器に充填されている食品をクラッシュした状態でのど越しよく食することができるようにするための注出口栓に関するものである。
【背景技術】
【０００２】
従来から手持ちできる大きさで柔軟な袋状容器にゼリー飲料などを充填するとともに飲み口となる部分を有した商品がある。この商品の袋状容器としては、正面シートと背面シートとの容器下辺側に底面シートを折り込んだ状態で配置して対向するシール辺同士をヒートシールしたパウチ容器や、正面シートと背面シートとの間の側面にマチとして側面シートを折り込んだ状態で配置して対向するシール辺同士をヒートシールしたパウチ容器としている。また、飲み口とする部分については、容器上辺での正面シートと背面シートとのシール辺の間に溶着させるようにして合成樹脂成形の注出口栓を取り付けており、その口栓を覆うネジ付けタイプのキャップを取り外し、飲み口からの吸引と袋状容器の握りつぶしなどを行なうことで、内容物を食することができるようにしている。
【０００３】
そして、上記注出口栓は、容器上辺でのシール辺の間に溶着固定するシール部から容器外方となる側に向けて注出口（飲み口）が突出しているとともに、前記シール部から容器内方となる側に向けて一対の脚が延設されており、この延設されている脚の主たる役割は、注出口栓を介して容器（パウチ容器）に充填するときにその容器が閉塞された状態とならないようにすることである。また、袋状容器に充填した液体を氷らせて氷菓として食する商品において、氷菓がクラッシュされた状態にして注出口から押し出し易くすることを目的として、特許文献１に示されているように、前記脚を、正面シートと背面シートとの対向方向を幅方向としている細長の板状にする工夫が提案されている。
【先行技術文献】
【特許文献】
【０００４】
【特許文献１】特許第４１３２６００号公報
【発明の概要】
【発明が解決しようとする課題】
【０００５】
ところで、上記注出口栓を取り付けたパウチタイプの袋状容器を用いた商品では、吸引しながら袋状容器を握り潰したりなどして収容物が注出されるに従って容器の包材は脚に直接に接触するようになり、袋状容器を潰す方向に働く力によって脚周りを密に囲みながらその脚を間にして相対する包材が接合し合うようになる。特に、脚が板状である注出口栓を取り付けたパウチタイプの袋状容器を氷菓用としている商品の場合、比較的強く吸引される傾向にあり、そして、相対する包材（例えば正面シートと背面シート）を指先などで強く挟んで包材同士を接合させて容器を扁平にさせる作用が働くと、図５に示すように脚aを覆うようにしている一方の包材（正面シート）ｂと他方の包材（背面シート）ｃとの脚側面に沿う部分ｄそれぞれに、相対する包材側に向く強い引っ張り力ｅが加わってしまい、脚ａの側縁ｆが当接している個所で包材が傷ついたり切れたりする可能性があった。
【０００６】
そこで本発明は上記事情に鑑み、袋状容器を扁平に潰すような力で、相対する包材が注出口栓の脚周りで接合し合うようになっても、その脚に重なる部分に強い引っ張り力が加わらないようにすることを課題とし、包材の種類や強度を変更せずに包材の傷付きを防止することを目的とするものである。
【課題を解決するための手段】
【０００７】（請求項１の発明）  本発明は上記課題を考慮してなされたもので、袋状容器のシール辺の間に固定されるシール部から容器外方となる側に向けて注出口が突出し、前記シール部から容器内方となる側に向けて対の脚が延設されている袋状容器用注出口栓において、  前記シール部は、前記シール辺の長さ方向に沿った方向に凸となる尖頭部を有して平面視形状が舟形とされ、  前記脚は、それぞれが脚の長さ方向に沿っている三つの側面を有してなる三角柱形状に設けられ、  前記脚それぞれが有する三つの側面の内、一つの側面を平面にしてこの平面とされた一つの側面同士を脚の対向方向に面するように平行とし、脚それぞれの残り二面を脚の断面の中心側に向けて凹んだ曲面としていて、  脚それぞれにおける前記曲面とされた二つの側面の間に位置して脚の長さ方向に沿う一つの稜線部分が、前記尖頭部の凸方向と同一方向側に位置していて、前記稜線部分の断面形状が尖頭状とされていることを特徴とする袋状容器用注出口栓を提供して、上記課題を解消するものである。
【発明の効果】
【０００９】
（請求項１の発明の効果）
パウチタイプの袋状容器に収容された食品を食するに際しては、収容物を吸引し容器を扁平にするなどの押し潰しを行なっており、収容物が注出されるに従って脚の部分に包材が重なり、脚の周辺でもその脚を間にする包材が互いに接し合うようになる。そして、請求項１の発明によれば、脚の断面が三角形であることから、図６の概略で示すように、脚ａの側面が正面シートｂと背面シートｃとに対して向く配置形態として、脚ａの一つの側面ａ１が正面シートｂと背面シートｃとの相対する方向に対して直角な方向に面した向きとなるように配置され、残りの二つの側面ａ２、ａ３はそれぞれ包材の相対する方向に対して傾斜した向きに面する配置とする。
【００１０】
そのため、袋状容器が扁平に潰れるなどして正面シートｂと背面シートｃとが脚ａを挟み込みながら密に接し合う状態になった場合、上述した配置形態では、脚ａの側面ａ１側においては正面シートｂ、背面シートｃに互いに直接的に接し合うようにする作用は生じるが、脚ａの側面ａ２、ａ３が傾斜しているため、脚ａの側面ａ２に重なっている正面シートｂを下支えして背面シートｃ側に移行させず、そして、側面ａ３に重なっている背面シートｃを下支えして正面シートｂ側に移行させず、この下支えされている個所では、対向する位置関係にある包材側への大きな引っ張り力が生じない。よって、脚が対応する部分の包材に大きな引っ張り力が加わらず、包材の稜線対応個所での切れや破損を防止できる。
【００１１】
また、シール部の下面に位置する脚の基端において、そのシール部の尖頭部の凸となる側に向けて脚の張り出しの寸法を多く取ることができ、脚の基部それぞれのシール部長さ方向での強度を高めることができる。
【図面の簡単な説明】
【００１２】
【図１】本発明に係る袋状容器用注出口栓の一例を有する袋状容器を示す説明図である。
【図２】本発明に係る袋状容器用注出口栓の一例を示す説明図である。
【図３】脚の断面とシール部とを示す説明図である。
【図４】脚の側面に袋状容器の包材が重なる状態を示す説明図である。
【図５】薄板状の脚を包材が挟む状態を示す説明図である。
【図６】三角柱形状の脚に対する対の包材の挟み込みを示す説明図である。
【発明を実施するための形態】
【００１３】
つぎに本発明を図１から図４に示す実施の形態に基づいて詳細に説明する。
図中１は袋状容器用注出口栓で、該注出口栓１は、図１に示すように相対する正面シート２と背面シート３との容器下辺の間に底面シート４を配し、正面シート２と背面シート３との間に前記底面シート４を折り入れた状態で相対するシール辺をヒートシールしたパウチタイプの袋状容器５に取り付けられるものであり、正面シート２と背面シート３との容器上辺６におけるシール辺７の間に固定されている。そして、図２に示すように、袋状容器用注出口栓１は、前記シール辺７の間に位置してそのシール辺７に溶着固定され中央に透孔８が開口されているシール部９と、このシール部９から前記透孔８と連通する筒状とした部分が容器外方となる側に突出した注出口１０と、前記シール部９から袋状容器５内に向けて延設された平行な対の脚１１とが一体となり、合成樹脂材により成形されている。
【００１４】
上記シール部９におけるシール辺７間となる個所は、図３に示す平面視形状（袋状容器を容器上方や容器下方から見たときの形状）が舟状であり、容器上辺６のシール辺７の長さ方向、すなわち袋状容器５の幅方向に沿った方向に凸となってシール辺７の間隔が漸次狭くなるようにした尖頭部１２を有して、正面シート２と背面シート３のシール辺７に良好に溶着して隙間を生じさせないものである。また、注出口１０は外周に設けたネジ部に螺合するタイプのキャップ１３により覆われる。そして、シール部９から延設されている対の脚１１の対向方向が、袋状容器５の幅方向と同じとされ、その脚１１それぞれの上部がシール部９における下面で、透孔８を間にした位置に設定されている。また、脚１１のシール部９側とは反対側、すなわち、延設されている先端である下部それぞれは渡り部１４を介して一体となっている。さらに脚１１の長さ方向でのほぼ中央部分においても渡り部１４があり、対の脚１１がその中央部分でも渡り部１４を介して一体となっている。
【００１５】
上記脚１１は、図示されているように脚長さ方向に直交する方向での断面が三角形である三角柱形状に設けられている。脚１１それぞれが有する三つの側面の内、一つの側面１５を平面とし、この側面１５同士を脚１１の対向方向に面しさせて平行とするとともに、脚１１それぞれにおいて、残り二つの側面１６と側面１７との境界である一つの稜線部分１８が、上記尖頭部１２の凸となる方向と同一方向側に位置している。
【００１６】
容器幅方向での位置において、稜線部分１８は、上記尖頭部１２の突出先端より容器側方に張り出るようになることはなく、尖頭部１２の突出先端の位置と揃う位置か、或いは尖頭部１２の突出先端の位置よりわずかに注出口栓１の中心側に寄った位置に設定される。本実施の例では、図３に示すように、尖頭部１２の下面において尖頭部１２とこれに連続する脚１１の基端との位置関係と脚の断面方向での大きさとをその脚基端を断面にしながら表わしていて、脚１１それぞれの一つの稜線部分１８は断面形状が尖頭部１２と同様に尖頭状とされてこの稜線部分１８の位置は、尖頭部１２の突出先端に近接し、かつ脚１１の側面１６と側面１７とが尖頭部１２の下面領域から外方にはみ出ない範囲で断面の面積が大きくなるように設けられている。このように、脚１１それぞれでは、対の脚１１の対向方向での外方に向けて脚１１の一つの稜線部分１８が凸となる位置に設けられていることから、対の脚１１の袋幅方向での強度が高められているものとなっている。また、側面１６と側面１７とは尖頭部１２の外面形状に合わせて脚１１の断面の中心側に向けて凹んだ曲面である。
【００１７】
上述したように対の脚１１の上記側面１５が平行に相対しているため、脚１１それぞれにおいて、正面シート２側に傾斜して面する形で配される側面１６と前記側面１５との境界となる稜線部分１９は正面シート２側に向けて突出する形状となり、背面シート３側に傾斜して面する形で配される側面１７と側面１５との境界となる稜線部分２０は背面シート３側に向けて突出する形状となる。そして、袋状容器内の収容物が吸引されながらこの袋状容器を押し潰すなどして扁平に変形する場合には、正面シート２が前記稜線部分１９に当接するようにして脚１１に重なり、背面シート３が稜線部分２０に当接するようにして脚１１に重なるようになる。しかし、傾斜して曲面とされた側面１７と側面１８とが、正面シート２と背面シート３との脚１１に重なっている部分で下支えするため、互いに接合し合おうとする強い引っ張り力が生じないようになる。図示するように脚１１の間には、正面シート２と背面シート３とが引き込まれるように変形し、側面１５に沿う部分で正面シート２と背面シート３とに引っ張り力が生じる可能性はあるが、前述したように脚１１の側面１６と側面１７で下支えされる形で支えられている部分に包材接合方向での引っ張り力が加わらないため、前記稜線部分１９と稜線部分２０とに正面シート２と背面シート３とが強く当接することがなく、この当接する部分での包材の切れや損傷が生じないようになる。
【符号の説明】
【００１９】
１…注出口栓
２…正面シート
３…背面シート
５…袋状容器
７…シール辺
９…シール部
１１…脚
１２…尖頭部
１５、１６、１７…側面
１８、１９、２０…稜線部分
【図１】
0005569098.tif 000002
【図２】
0005569098.tif 000003
【図３】
0005569098.tif 000004
【図４】
0005569098.tif 000005
【図５】
0005569098.tif 000006
【図６】
0005569098.tif 000007